(57)【要約】【課題】光源を保持するホルダの取付作業が容易であって、小型化及び薄型化に好適な光ピックアップを提供する。【解決手段】光ピックアップ１は、光源１１と、光源１１を保持するホルダ２６と、光源１１に可撓性の接続部材２７を介して電気的に接続されるプリント基板４０と、ホルダ２６及びプリント基板４０が取り付けられるベース部材１０と、を備える。プリント基板４０は、ホルダ２６がベース部材１０から抜け落ちるのを防止する抜け止め部４０１を有する。【選択図】図２
2012230740.tif 000002
【特許請求の範囲】
【請求項１】
光源と、
前記光源を保持するホルダと、
前記光源に可撓性の接続部材を介して電気的に接続されるプリント基板と、
前記ホルダ及び前記プリント基板が取り付けられるベース部材と、
を備える光ピックアップにおいて、
前記プリント基板は、前記ホルダが前記ベース部材から抜け落ちるのを防止する抜け止め部を有することを特徴とする光ピックアップ。
【請求項２】
前記ベース部材には、前記光源から出射される光を光ディスクの情報記録面に集光するための対物レンズが搭載され、
前記ベース部材における、前記対物レンズが露出する側の面を第１の面として、前記第１の面の裏面側を第２の面とした場合に、
前記プリント基板は、板面が前記第２の面に対向するように前記ベース部材に取り付けられ、
前記板面に略垂直な方向に沿って前記プリント基板を見た場合に、前記ベース部材に取り付けられる前記ホルダと重なる部分が前記抜け止め部であることを特徴とする請求項１に記載の光ピックアップ。
【請求項３】
前記プリント基板は、前記ホルダの一部とのみ重なることを特徴とする請求項２に記載の光ピックアップ。
【請求項４】
前記接続部材は、前記プリント基板との接続箇所から前記プリント基板に重ならないプリント基板外へと延び出すように前記プリント基板に取り付けられて、前記光源との接続箇所へと至ることを特徴とする請求項１から３のいずれかに記載の光ピックアップ。
【請求項５】
前記ベース部材には、前記光源から出射される光を光ディスクの情報記録面に集光するための対物レンズが搭載され、
前記ベース部材における、前記対物レンズが露出する側の面を第１の面として、前記第１の面の裏面側を第２の面とした場合に、
前記ベース部材には、前記第１の面から前記第２の面へと至る貫通孔であって前記ホルダが収容される収容空間が形成され、
前記プリント基板は、板面が前記第２の面に対向するように前記ベース部材に取り付けられ、
前記ホルダは、前記収容空間に前記第１の面側から挿入されることを特徴とする請求項４に記載の光ピックアップ。
【発明の詳細な説明】
【技術分野】
【０００１】
本発明は、光ピックアップに関し、詳細には光源の取付作業を容易とする技術に関する。
【背景技術】
【０００２】
従来、ブルーレイディスク（以下ＢＤと記載）、デジタル多用途ディスク（以下ＤＶＤと記載）、コンパクトディスク（以下ＣＤと記載）等の光ディスクに対して、情報を読み取ったり、情報を書き込んだりする目的で使用される光ピックアップが知られている。この光ピックアップには、光ディスクに光を照射するための光源が含まれ、この光源としては例えば半導体レーザが使用される。
【０００３】
光ピックアップにおける半導体レーザは、例えば特許文献１や２にも示されるように、ホルダに保持された状態で光ピックアップのベース部材（ハウジング）に取り付けられるのが一般的である。半導体レーザは、例えば光の出射方向や光の出射位置（取付角や取付位置）等が精度良く調整された状態でベース部材に固定される必要がある。このため、半導体レーザは、ベース部材に対して固定される前に、Ｘ軸、Ｙ軸、Ｚ軸、Ｘ軸周り、Ｙ軸周り及びＺ軸周りの位置調整が行われる。この位置調整は、半導体レーザを保持するホルダを調整治具で保持しながら行われる。
【０００４】
半導体レーザは、例えばフレキシブルプリント基板等の可撓性の接続部材に接続された状態でホルダに保持され、ホルダの位置調整が終わるまでの間にホルダが不安定な状態であると、作業性が悪い。このようなこと等から、特許文献１には、ハウジングから突出する係止部を利用してホルダの安定状態を確保し、作業性の向上を図る技術が開示されている。また、特許文献２には、スライドベース（ベース部材）等にボスや穴を形成し、これを利用してホルダの安定状態を確保し、作業性の向上を図る技術が開示されている。
【先行技術文献】
【特許文献】
【０００５】
【特許文献１】特開２００９−１５１８６９号公報
【特許文献２】特開２００８−１３０１４６号公報
【発明の概要】
【発明が解決しようとする課題】
【０００６】
しかしながら、近年においては、市場において光ピックアップの小型化及び薄型化の要求が強い。このために、光ピックアップを構成するベース部材もコンパクトになっており、特許文献１や２に従ってベース部材に係止部やボス部等を設けた場合、これらのサイズが非常に小さなものとなる。このために、上述の係止部等を用いて安定状態を確保するという作業すら行い難いものになっている。
【０００７】
以上の点に鑑みて、本発明の目的は、光源を保持するホルダの取付作業が容易であって、小型化及び薄型化に好適な光ピックアップを提供することである。
【課題を解決するための手段】
【０００８】
上記目的を達成するために本発明は、光源と、前記光源を保持するホルダと、前記光源に可撓性の接続部材を介して電気的に接続されるプリント基板と、前記ホルダ及び前記プリント基板が取り付けられるベース部材と、を備える光ピックアップにおいて、前記プリント基板は、前記ホルダが前記ベース部材から抜け落ちるのを防止する抜け止め部を有する構成（第１の構成）とされる。
【０００９】
本構成によれば、光源の取付角や取付位置を調整する間（ホルダをベース部材に接着固定するまでの間）において、特別の治具を準備することなく、光源を保持するホルダがベース部材から抜け落ちるのを防止できる。このために、半導体レーザ（ホルダ）をベース部材へ取り付ける作業の作業性が向上するのを期待できる。
【００１０】
特に、ホルダをベース部材に接着固定するまでの間に、ホルダを安定状態とする機構は、正確な位置決めまで要求されず、比較的ラフに位置決めできるものであればよい。このために、光ピックアップの小型化及び薄型化を考慮すると、その構造は簡単なものであるのが好ましい。この点、本構成のように、プリント基板を利用する構成では、ホルダを安定状態とする機構を非常に簡単なものとできる。このために、本構成は、小型化及び薄型化が要求される光ピックアップにとって好ましい構成と言える。
【００１１】
上記第１の構成の光ピックアップにおいて、前記ベース部材には、前記光源から出射される光を光ディスクの情報記録面に集光するための対物レンズが搭載され、前記ベース部材における、前記対物レンズが露出する側の面を第１の面として、前記第１の面の裏面側を第２の面とした場合に、前記プリント基板は、板面が前記第２の面に対向するように前記ベース部材に取り付けられ、前記板面に略垂直な方向に沿って前記プリント基板を見た場合に、前記ベース部材に取り付けられる前記ホルダと重なる部分が前記抜け止め部である構成（第２の構成）とするのが好ましい。
【００１２】
本構成においては、光ピックアップが光ディスク装置（光ディスクの再生や記録を行うための装置）に搭載される場合に、プリント基板はディスクトレイ（光ディスクが載置されるトレイ）等の干渉物がない側に配置されることになる。そして、本構成は、このようにプリント基板が配置されることを積極的に利用して、光ピックアップにおける光源取付時の作業性を良くするものである。すなわち、本構成は、光ディスク装置の薄型化対応の技術として好ましいものである。
【００１３】
また、本構成では、ホルダの抜け落ちを防止する抜け止め部をプリント基板に設ける構成を採用しているために、抜け止め部をベース部材に設ける場合に比べて、調整（光源の取付角等の調整）時にホルダを動かすためのスペースを確保し易い。
【００１４】
上記第２の構成の光ピックアップにおいて、前記プリント基板は、前記ホルダの一部とのみ重なる構成（第３の構成）としてもよい。このように構成することにより、ホルダの接着箇所を確保し易くなる。
【００１５】
上記第１から第３のいずれかの構成の光ピックアップにおいて、前記接続部材は、前記プリント基板との接続箇所から前記プリント基板に重ならないプリント基板外へと延び出すように前記プリント基板に取り付けられて、前記光源との接続箇所へと至る構成（第４の構成）としてもよい。このような構成は、ホルダがベース部材から抜け落ちるといった事態が発生し易く、本発明を適用する利点が大きい。
【００１６】
上記第４の構成の光ピックアップにおいて、前記ベース部材には、前記光源から出射される光を光ディスクの情報記録面に集光するための対物レンズが搭載され、前記ベース部材における、前記対物レンズが露出する側の面を第１の面として、前記第１の面の裏面側を第２の面とした場合に、前記ベース部材には、前記第１の面から前記第２の面へと至る貫通孔であって前記ホルダが収容される収容空間が形成され、前記プリント基板は、板面が前記第２の面に対向するように前記ベース部材に取り付けられ、前記ホルダは、前記収容空間に前記第１の面側から挿入される構成であってもよい。
【発明の効果】
【００１７】
本発明によれば、光源を保持するホルダの取付作業が容易であって、小型化及び薄型化に好適な光ピックアップを提供できる。
【図面の簡単な説明】
【００１８】
【図１】本実施形態の光ピックアップを表側から見た概略平面図
【図２】本実施形態の光ピックアップを裏側から見た概略平面図
【図３】本実施形態の光ピックアップの光学構成を示す概略平面図
【図４】本実施形態の光ピックアップが備えるピックアップベースの構成を示す概略斜視図
【図５】本実施形態の光ピックアップが備えるピックアップベースにプリント基板が取り付けられた状態を示す概略斜視図
【図６】本実施形態の光ピックアップが備えるピックアップベースとヒートシンクとの関係を示す概略図
【発明を実施するための形態】
【００１９】
以下、本発明が適用された光ピックアップの実施形態について、図面を参照しながら詳細に説明する。なお、本実施形態の光ピックアップは、ＢＤ、ＤＶＤ、ＣＤといった３種類の規格の光ディスクに対して情報の読み取りや書き込みを行える構成となっている。
【００２０】
図１は、本実施形態の光ピックアップ１を表側から見た概略平面図である。また、図２は、本実施形態の光ピックアップ１を裏側から見た概略平面図である。ここで、光ピックアップ１の表側とは、情報の読み取り等を行う対象となる光ディスク（図１において紙面手前側に配置される）と対向する側を指している。そして、光ピックアップ１の裏側とは、この表側を基準として反対側となる部分である。なお、図１においては、理解を容易とするために、光ピックアップ１の構成要素ではないガイドシャフトＧＳも合わせて示している。
【００２１】
図１及び図２に示すように、光ピックアップ１はピックアップベース１０を備える。このピックアップベース１０は例えば樹脂によって構成され、本発明のベース部材の一例である。光ディスク装置（光ディスクの再生や記録を行うための装置）に搭載される光ピックアップ１は、ピックアップベース１０が光ディスク装置内に配置される２本のガイドシャフトＧＳに摺動可能に支持されることで、光ディスクの半径方向（ラジアル方向）に移動して光ディスクの所望のアドレスにアクセス可能とされる。なお、ガイドシャフトＧＳによるピックアップベース１０の支持は、ピックアップベース１０の左右の端部に設けられる軸受け部１０ａ、１０ｂを使用して行われる。
【００２２】
ピックアップベース１０には、光ディスクに記録される情報を読み取ったり、光ディスクに情報を書き込んだりする上で必要となる各種の部材が搭載される。この各種の部材には、光源を構成する半導体レーザ１１、１８（後述の図３参照）、対物レンズ１７、２１を含む各種の光学部材、光検出器２３、対物レンズ１７、２１を駆動させるアクチュエータ３０、及び、半導体レーザ１１、１８やアクチュエータ３０等を駆動させるために必要となる各種の回路が形成されるプリント基板４０が含まれる。
【００２３】
半導体レーザ１１、１８は、いずれもホルダに保持された状態でピックアップベース１０に取り付けられる。この取付に関する詳細は後述する。また、光学部材の多くは、ピックアップベース１０の裏面１０ｅ側から、その内部に取り付けられる。なお、図２においては、ピックアップベース１０の内部に取り付けられた光学部材は、一部を除き、プリント基板４０に覆われて見えない。
【００２４】
光検出器２３は、ピックアップベース１０の側面に取り付けられる。光検出器２３は、フレキシブルプリント基板（ＦＰＣ；Flexible Printed Circuit）２８によってプリント基板４０と電気的に接続されている。アクチュエータ３０は、その全体がピックアップベース１０に設けられる凹部１０ｆ内に嵌め込まれるようにしてピックアップベース１０に取り付けられており、アクチュエータ３０に搭載される対物レンズ１７、２１は外部に露出する。
【００２５】
プリント基板４０は、図２に示すように、その板面がピックアップベース１０の裏面１０ｅに対向するように取り付けられる。詳細には、プリント基板４０は、ピックアップベース１０の裏面１０ｅに設けられる位置決めボス１０ｇで位置決めがなされて、ビス７１でピックアップベース１０に固定される。このプリント基板４０は、例えばガラスコンポジット基板等の硬質のプリント基板（リジッド基板）によって構成される。
【００２６】
また、ピックアップベース１０には、その表面１０ｄ側に、半導体レーザ１１、１８で発生する熱を放熱するために、例えばアルミニウム等の金属で構成されるヒートシンク５０が取り付けられる。このヒートシンク５０は、ピックアップベース１０の表面１０ｄを覆うように、ピックアップベース１０に取り付けられる。ただし、アクチュエータ３０及びそれに搭載される対物レンズ１７、２１は、ヒートシンク５０に覆われることなく露出した状態とされる。また、ヒートシンク５０は、ピックアップベース１０の表面１０ｄに設けられる位置決めボス１０ｃ等を用いて位置決めがなされて、ビス７０でピックアップベース１０に固定される。
【００２７】
なお、ピックアップベース１０における、対物レンズ１７、２１が露出する側の面である表面１０ｄは、本発明の第１の面の実施例に該当する。また、ピックアップベース１０の裏面１０ｅは本発明の第２の面の実施例に該当する。
【００２８】
図３は、本実施形態の光ピックアップ１の光学構成を示す概略平面図である。光ピックアップ１には、第１の半導体レーザ１１から出射される光を光ディスクの情報記録面に導くとともに、情報記録面で反射される反射光（戻り光）を光検出器２３へと導く、ＢＤ用の光路が形成されている。また、光ピックアップ１には、第２の半導体レーザ１８から出射される光を光ディスクの情報記録面に導くとともに、情報記録面で反射される反射光（戻り光）を光検出器２３へと導く、ＤＶＤ及びＣＤ用の光路が形成されている。
【００２９】
なお、光ピックアップ１においては、複数の光学部材が、ＢＤ用の光路と、ＤＶＤ及びＣＤ用の光路とで共用される構成となっている。このような構成を採用しているため、光ピックアップ１は、ＢＤ、ＤＶＤ、及び、ＣＤに対応する光ピックアップを少ない部品点数で形成可能であり、小型化可能になっている。
【００３０】
まず、ＢＤ用の光路について説明する。第１の半導体レーザ１１は、ＢＤ用のレーザ光（例えば波長４０５ｎｍ帯のレーザ光）を出射可能となっている。この第１の半導体レーザ１１が配置される位置は、図１においては破線ＤＬ１で示す位置が対応する。
【００３１】
第１の半導体レーザ１１から出射されたレーザ光は、回折素子１２によって主光と２つの副光とに分けられる。回折素子１２を経たレーザ光は偏光ビームスプリッタ１３によって反射され、１／４波長板１４及びコリメートレンズ１５を透過する。コリメートレンズ１５を透過したレーザ光は、第１の立ち上げミラー１６によって反射されて、第１の立ち上げミラー１６の上方にある第１の対物レンズ１７へと至る。
【００３２】
第１の対物レンズ１７は、入射したレーザ光を光ディスクの情報記録面に集光する機能を有する。第１の対物レンズ１７によって情報記録面に集光されたレーザ光は、情報記録面で反射される。この反射光（戻り光）は、第１の対物レンズ１７を通過後、第１の立ち上げミラー１６で反射され、コリメートレンズ１５、１／４波長板１４、偏光ビームスプリッタ１３、ビームスプリッタ１９を順に透過する。そして、ビームスプリッタ１９を透過した戻り光は、センサーレンズ２２によって非点収差を与えられて光検出器２３の所定の受光領域に集光される。
【００３３】
光検出器２３は、受光した光信号を電気信号に変換する光電変換手段として機能する。光検出器２３から出力された電気信号は図示しない信号処理部に送られ、この信号処理部で、再生信号、フォーカスエラー（ＦＥ）信号、トラッキングエラー（ＴＥ）信号等が生成される。
【００３４】
次に、ＤＶＤ及びＣＤ用の光路について説明する。第２の半導体レーザ１８は、ＤＶＤ用のレーザ光（例えば波長６５０ｎｍ帯のレーザ光）とＣＤ用のレーザ光（例えば波長７８０ｎｍ帯のレーザ光）とを切り換えて出射可能になっている。このようなレーザ光源は、例えばモノリシックタイプ或いはハイブリッドタイプの２波長レーザによって構成できる。なお、この第２の半導体レーザ１８が配置される位置は、図１においては破線ＤＬ２で示す位置が対応する。
【００３５】
第２の半導体レーザ１８から出射されたレーザ光は、ビームスプリッタ１９によって反射され、その後、偏光ビームスプリッタ１３、１／４波長板１４、コリメートレンズ１５、及び、第１の立ち上げミラー１６を順に透過する。第１の立ち上げミラー１６を透過したレーザ光は、第２の立ち上げミラー２０によって反射されて、第２の立ち上げミラー２０の上方にある第２の対物レンズ２１へと至る。
【００３６】
なお、偏光ビームスプリッタ１３は、ＢＤ用のレーザ光に作用する光学部材であり、ＤＶＤ用のレーザ光及びＣＤ用のレーザ光は、その偏光状態に関係なく透過する。また、第１の立ち上げミラー１６はダイクロイックミラーであり、ＢＤ用のレーザ光は反射されるが、ＤＶＤ用のレーザ光及びＣＤ用のレーザ光は透過可能となっている。
【００３７】
第２の対物レンズ２１は、入射したレーザ光を光ディスクの情報記録面に集光する機能を有する。第２の対物レンズ２１によって情報記録面に集光されたレーザ光は、情報記録面で反射される。この反射光（戻り光）は、第２の対物レンズ２１を通過後、第２の立ち上げミラー２０で反射され、第１の立ち上げミラー１６、コリメートレンズ１５、１／４波長板１４、偏光ビームスプリッタ１３、ビームスプリッタ１９を順に透過する。そして、ビームスプリッタ１９を透過した戻り光は、センサーレンズ２２によって非点収差を与えられて光検出器２３の所定の受光領域に集光される。
【００３８】
ＢＤ対応の場合と同様に、光検出器２３から出力された電気信号は図示しない信号処理部に送られ、この信号処理部で、再生信号、ＦＥ信号、ＴＥ信号等が生成される。
【００３９】
なお、コリメートレンズ１５は、図示しないレンズ駆動機構によって、その光軸方向（図３に矢印で示す方向）に移動可能となっている。そして、コリメートレンズ１５の位置は、光ディスクの種類やレイヤージャンプ等に応じて適宜移動される。このようにコリメートレンズ１５を移動可能とするのは、対物レンズ１７、２１に入射するレーザ光の収束・発散度合いを調節して、球面収差の影響を適切に抑制できるようにするためである。
【００４０】
また、第１の対物レンズ１７及び第２の対物レンズ２１は、ピックアップベース１０に取り付けられるアクチュエータ３０（図１参照）に搭載された状態で、ピックアップベース１０に搭載されることになる。アクチュエータ３０は、光ピックアップ１に備えられる２つの対物レンズ１７、２１をフォーカス方向（図１から図３においては紙面に垂直な方向が該当）及びトラッキング方向（図１から図３においては上下方向が該当）に移動可能とする装置である。
【００４１】
光ピックアップ１においては、情報の読み取りや書き込みを行う際に、対物レンズ１７、２１の焦点位置が常に光ディスクの情報記録面に合うようにフォーカシング制御を行う必要がある。また、光ピックアップ１においては、情報の読み取りや書き込みを行う際に、対物レンズ１７、２１によって光ディスクの情報記録面に集光される光スポットの位置が、光ディスクのトラックに常に追随するようにトラッキング制御を行う必要がある。アクチュエータ３０は、例えば、これらフォーカシング制御及びトラッキング制御を行う際に駆動される。
【００４２】
アクチュエータ３０は、対物レンズ１７、２１を保持するレンズホルダ３１（図１参照）を有し、レンズホルダ３１をワイヤ３２（図１参照）で揺動可能に支持する構成のものである。そして、コイル及び磁石を利用して発生させた力でレンズホルダ３１（すなわち対物レンズ１７、２１）を動かすものである。このようなタイプのアクチュエータは公知であるので、ここでは、詳細な説明は省略する。
【００４３】
次に、全体が以上のように構成される、本実施形態の光ピックアップ１の特徴的な部分について説明する。
【００４４】
図４は、本実施形態の光ピックアップ１が備えるピックアップベース１０の構成を示す概略斜視図である。図５は、本実施形態の光ピックアップ１が備えるピックアップベース１０にプリント基板４０が取り付けられた状態を示す概略斜視図である。上述のようにピックアップベース１０には、第１の半導体レーザ１１及び第２の半導体レーザ１８が取り付けられるが、これらは金属製のホルダに保持された状態でピックアップベース１０に取り付けられる。
【００４５】
すなわち、図５（図４と比較すると分かり易い）に示すように、第１の半導体レーザ１１は、第１のホルダ２４に保持された状態で、ピックアップベース１０に形成される第１のホルダ取付部１０１に取り付けられる。第１のホルダ２４は、平面視略矩形状の板状ホルダであり、その略中央に設けられる貫通孔に第１の半導体レーザ１１（例えばＣＡＮパッケージタイプの半導体レーザ）が挿入されるようになっている。
【００４６】
第１のホルダ取付部１０１は、ピックアップベース１０を表面１０ｄ側から平面視して、その壁面が略コの字状に形成される部分が該当する。ピックアップベース１０を表面１０ｄ側から平面視した場合に、第１のホルダ取付部１０１の幅は、第１のホルダ２４の幅よりやや大きく形成される。このように構成されることで、第１のホルダ取付部１０１に取り付けられる第１のホルダ２４は、前後左右の調整及び回転調整が可能になっている。そして、この第１のホルダ２４を動かしながら第１の半導体レーザ１１の取付角や取付位置の調整が行われる。
【００４７】
第１のホルダ取付部１０１を構成する壁面の一部には、第１の半導体レーザ１１から出射されるレーザ光を回折素子１２（図２及び図３参照）に導く開口が形成されている。また、第１のホルダ２４に保持される第１の半導体レーザ１１は、ＦＰＣ２５（図２及び図５参照）によってプリント基板４０に電気的に接続される。このＦＰＣ２５は、プリント基板４０との接続箇所４０ａ（図２参照）からプリント基板４０の上部を通って第１の半導体レーザ１１の接続箇所に至る。なお、図２においては、プリント基板４０の接続箇所４０ａは裏側にあって本来は見ないため、破線で表示している。
【００４８】
また、図５（図４と比較すると分かり易い）に示すように、第２の半導体レーザ１８は、第２のホルダ２６に保持された状態で、ピックアップベース１０に形成される第２のホルダ取付部１０２に取り付けられる。第２のホルダ２６は、立方体に近い略直方体状のホルダであり、その略中央に設けられる貫通孔に第２の半導体レーザ１８（例えばフレームタイプの半導体レーザ）が挿入されるようになっている。
【００４９】
第２のホルダ取付部１０２は、ピックアップベース１０の表面１０ｄから裏面１０ｅへと至る平面視略矩形状の貫通孔によって構成される。この貫通孔を平面視したサイズは、第２のホルダ２６を平面視した場合のサイズよりやや大きくなっている。このように構成されることで、第２のホルダ取付部１０２に取り付けられる第２のホルダ２６は、前後左右の調整及び回転調整が可能になっている。そして、この第２のホルダ２６を動かしながら第２の半導体レーザ１８の取付角や取付位置の調整が行われる。
【００５０】
第２のホルダ取付部１０２を構成する壁面の一部には、第２の半導体レーザ１８から出射されるレーザ光をビームスプリッタ１９（図３参照）に導く開口１０２ａが形成されている。また、この開口１０２ａが形成される壁面に対向する壁面には、第２のホルダ２６（第２の半導体レーザ１８）の取り付け調整を行う場合に、治具を差し込むための２つの治具用孔１０２ｂが形成されている。
【００５１】
なお、この治具用孔１０２ｂは、図６に示すように、ヒートシンク５０に設けられる係合フック部５１と係合するためにも利用される。このようにヒートシンク５０とピックアップベース１０とを係合させるのは、ヒートシンク５０の位置決め精度を向上させるためである。このような目的があるために、第２のホルダ取付部１０２は、周囲が囲まれる構成となっている。なお、図６における破線矢印は、係合フック部５１が孔１０２ｂに挿入される方向を示している。
【００５２】
第２のホルダ２６に保持される第２の半導体レーザ１８は、ＦＰＣ２７（図２及び図５参照）によってプリント基板４０に電気的に接続される。第２のホルダ２６は、ピックアップベース１０の表面１０ｄ側から第２のホルダ取付部１０２に挿入されるようになっている。このため、ＦＰＣ２７は、プリント基板４０の接続箇所４０ｂ（図２参照）からプリント基板４０と重ならないプリント基板外へと延び出し、ピックアップベース１０の側面及び表面１０ｄを介して第２のホルダ取付部１０２内の第２の半導体レーザ１８との接続箇所に至る構成となっている。なお、図２においては、プリント基板４０の接続箇所４０ｂは裏側にあって本来は見ないため、破線で表示している。
【００５３】
このように構成される光ピックアップ１を組み立てる際には、例えばピックアップベース１０に光学部材（対物レンズ１７、２１及び立ち上げミラー１６、２０を除く）等が取り付けられる。その後、これらの取り付けられた光学部材等を覆うように、プリント基板４０がピックアップベース１０に取り付けられる。このプリント基板４０には、第１のホルダ２４に保持された第１の半導体レーザ１１、及び、第２のホルダ２６に保持された第２の半導体レーザ１８が、ＦＰＣ２５、２７を介して接続されている。プリント基板４０が取り付けられると、ホルダ２４、２６を治具で動かしながら、第１の半導体レーザ１１及び第２の半導体レーザ１８の取付角及び取付位置の調整が行われる。
【００５４】
ところで、第２のホルダ２６は、貫通孔で構成される第２の取付部１０２に挿入される構成であるために、接着剤によってピックアップベース１０に固定されるまでは、その自重によってピックアップベース１０から抜け落ちる可能性がある。このような抜け落ちの発生は、作業効率を悪くするとともにＦＰＣ２７の損傷の原因にもなる。なお、上述のように、ＦＰＣ２７は、ピックアップベース１０の裏面１０ｅから側面及び表面１０ｄを介して第２の半導体レーザ１８に至る構成であり、曲げ部分を有して、その長さが長めに形成されている。このために、第２の半導体レーザ１８の取付角の調整等を行う際に、第２のホルダ２６の上記抜け落ちが発生し易い。
【００５５】
このようなことから、本実施形態の光ピックアップ１では、図２に示すように、プリント基板４０に抜け止め部４０１が設けられている。この抜け止め部４０１は、プリント基板４０の板面に略垂直な方向に沿ってプリント基板４０を見た場合に、ピックアップベース１０に取り付けられる第２のホルダ２６と重なる。このために、第２の半導体レーザ１８の取付調整時に、第２のホルダ２６がピックアップベース１０から抜け落ちるのを防止できる。なお、半導体レーザ１１、１８の取付調整時においては、ピックアップベース１０、その表面１０ｄが上となる姿勢にされる。
【００５６】
なお、プリント基板４０に設けられる抜け止め部４０１は、本実施形態の構成に限られるものではない。すなわち、プリント基板４０の板面に略垂直な方向に沿ってプリント基板４０を見た場合に、抜け止め部４０１は、ピックアップベース１０に取り付けられる第２のホルダ２６と重なる部分であればよく、その形状は他の形状でもよい。場合によっては、抜け止め部４０１は、第２のホルダ２６の全部を覆うように重なるものであっても構わない。
【００５７】
本実施形態では、第２のホルダ２６を接着剤２９（図２参照）で接着する箇所を確保しやすいように、抜け止め部４０１は、第２のホルダ２６の一部のみと重なる構成としている。そして、更に、第２のホルダ２６のピックアップベース１０との接着箇所がレーザ光を出射する側寄りが好ましい性能を得られるという実験結果を考慮して、本実施形態では、プリント基板４０から突出する小さな矩形状部を抜け止め部４０１としている。
【００５８】
なお、第２の半導体レーザ１８は、本発明の光源の実施例である。また、第２のホルダ２６は、本発明のホルダの実施例である。また、第２の対物レンズ２１は、本発明の対物レンズ２１の実施例である。また、ＦＰＣ２７は、本発明の可撓性の接続部材の実施例であり、可撓性の接続部材としてＦＰＣ２７に代えて、フレキシブルフラットケーブル（ＦＦＣ）等が用いられてもよい。
【００５９】
ところで、本実施形態では、第１のホルダ２４側には、ピックアップベース１０からの抜け落ちを防止するため抜け止め部を、プリント基板４０に設ける構成とはしていない（図２参照）。これは、次の理由による。すなわち、第１の半導体レーザ１１に接続されるＦＰＣ２５は、その長さが短く、更に、プリント基板４０との接続箇所４０ａからプリント基板４０の上部を通って第１の半導体レーザ１１の接続箇所へと至る構成となっている。このために、ＦＰＣ２５に接続される第１のホルダ２４は、自重によってピックアップベース１０から抜け落ちるという状況になり難い。このために、上記抜け止め部を設けない構成を採用している。ただし、このような部分にも、作業性を考慮して、適宜、プリント基板４０に抜け止め部を設けてよいのは当然である。
【００６０】
また、半導体レーザ１１、１８を保持するホルダ２４、２６の取付作業（接着剤２９（図２参照）による接着固定）が完了すると、例えば、対物レンズ１７、２１に関する調整、光検出器２３に関する調整、回折素子１２に関する調整等が順次行われて、光ピックアップ１の組み立て作業が完了する。回折素子１２の調整は最終段階で行われる。このために、プリント基板４０には、回折素子１２を調整するための開口が形成されている（図２参照）。
【００６１】
以上のように、本実施形態の光ピックアップ１では、プリント基板４０を利用して、第２の半導体レーザ１８を保持する第２のホルダ２６がピックアップベース１０から抜け落ちるのを防止できる。このために、第２のホルダ２６がピックアップベース１０から抜け落ちるのを防止するために追加の治具を準備する必要がなく、半導体レーザ（ホルダ）をピックアップベース１０へ取り付ける作業の作業性が向上する。
【００６２】
第２のホルダ２６（第１のホルダ２４も同様）をピックアップベース１０に接着固定するまでの間に、第２のホルダ２６を安定状態とする機構は、正確な位置決めまで要求されず、比較的ラフに位置決めできるものであればよい。このために、光ピックアップ１の小型化及び薄型化を考慮すると、その構造は簡単なものであるのが好ましい。したがって、本実施形態におけるプリント基板４０を利用した非常に簡単な構成の抜け止め部４０１は、小型化及び薄型化が要求される光ピックアップにとって好ましい構成と言える。
【００６３】
更に、光ピックアップ１では、それが搭載される光ディスク装置の薄型化を考慮して、ディスクトレイ（光ディスクが載置されるトレイ）等の干渉物がないピックアップベース１０の裏面１０ｅ側にプリント基板４０を設ける構成を採用している。そして、本実施形態の抜け止め部４０１は、この構成を積極的に利用したものであり、光ディスク装置の薄型化対応の技術として好ましいものである。
【００６４】
また、第２のホルダ２６の抜け落ちを防止する抜け止め部をプリント基板４０に設ける構成を採用しているために、抜け止め部をピックアップベース１０に設ける場合に比べて、調整（半導体レーザの取付角等の調整）時に第２のホルダ２６を動かすためのスペースを確保し易い。この点からも、プリント基板４０に抜け止め部４０１を設けるのは有効である。
【００６５】
（その他）
以上に示した実施形態は本発明の一例であり、本発明の光ピックアップの構成は以上に示した構成に限定されるものではない。
【００６６】
例えば、以上に示した構成では、第２のホルダ２６がピックアップベース１０の表面１０ｄ側から第２の取付部１０２に挿入される構成とした。しかし、この構成に限らず、第２のホルダ２６がピックアップベース１０の裏面１０ｅ側から第２の取付部１０２に挿入される構成であっても本発明の適用は可能である。
【００６７】
また、以上に示した実施形態では、光ピックアップ１が３種類の規格の光ディスクに対応する構成とした。しかし、これはあくまでも例示であり、光ピックアップが対応可能な光ディスクの種類や、使用する光学構成が本実施形態の構成から変更されても（対物レンズの数の変更も含む）、本発明が適用できるのは言うまでもない。
【産業上の利用可能性】
【００６８】
本発明は、小型化や薄型化が要求される光ピックアップに好適である。
【符号の説明】
【００６９】
１  光ピックアップ
１０  ピックアップベース（ベース部材）
１０ｄ  ピックアップベースの表面（第１の面）
１０ｅ  ピックアップベースの裏面（第２の面）
１８  第２の半導体レーザ（光源）
２１  第２の対物レンズ
２６  第２のホルダ
２７  ＦＰＣ（可撓性の接続部材）
４０  プリント基板
１０２  第２のホルダ取付部（収容空間）
４０１  抜け止め部
【図１】
2012230740.tif 000003
【図２】
2012230740.tif 000004
【図３】
2012230740.tif 000005
【図４】
2012230740.tif 000006
【図５】
2012230740.tif 000007
【図６】
2012230740.tif 000008